(57)【特許請求の範囲】
【請求項１】
電気回路基板と、この電気回路基板を収納する容器状の本体と、この本体の内側四隅に形成され、前記電気回路基板が固定されるネジ座と、前記本体の左右側面を切り欠くことにより形成された取付用の可撓性爪部とを備えた温度計において、
左右における上下一対のネジ座間に渡り、前記爪部の内側に間隔を存して形成された区画壁を備えたことを特徴とする温度計。
【請求項２】
本体は少なくとも後面が開口しており、電気回路基板はこの開口より前記本体内に挿入されると共に、その状態で開口を閉塞する蓋を設け、この蓋は前記電気回路基板を後方より押圧することを特徴とする請求項１の温度計。
【発明の詳細な説明】
【０００１】
【発明の属する技術分野】
本発明は、低温ショーケースや冷蔵庫、温蔵庫等に取り付けられる温度計に関するものである。
【０００２】
【従来の技術】
従来よりこの種低温ショーケースに取り付けられる温度計は、例えば特公平６−７８１０号公報（Ａ４７Ｆ３／０４）に示される如く、ショーケースの前上側に設けられたキャノピーに取り付けられている。この温度計１０６は、図６及び図７に示す如く電気回路基板１０７に図示しない貯蔵室内の温度を表示するためのデジタル式の温度表示器１０８が設けて構成されており、合成樹脂で成形された横長の本体１０９の四隅にネジ座１１７・・・が設けられ、このネジ座１１７・・・に前記電気回路基板１０７をネジ１２２・・・で締め付け固定している。
【０００３】
また、本体１０９の表側には支持壁１１０が設けられており、この支持壁１１０に窓孔１１１が形成され、この窓孔１１１に温度表示器１０８が嵌合して取り付けられる。また、支持壁１１０の前面となる温度表示器１０８の表面には防水用の透明シート１２０が取り付けられる。これにより、シート１２０を介して温度表示器１０８を表示可能に構成されると共に、ゴミや水が表面から本体１０９内に侵入してしまうのを防止している。
【０００４】
また、温度計１０６の本体１０９は上壁１１２、下壁１１３、左右の側壁１１５、１１５を備え、表側に設けられた支持壁１１０によって後面に開口１０９Ａを有した容器状とされている。そして、両側壁１１５、１１５が所定の形状に切り欠かれて可撓性の爪部１１８、１１８が形成されており、この爪部１１８、１１８をショーケースのキャノピーに係合させて温度計１０６は取り付けられる。
【０００５】
この爪部１１８は内側に傾倒してキャノピーに係合するため、両爪部１１８、１１８の周囲の側壁１１５、１１５には切欠１２１Ａが形成されると共に、その内側にはこの切欠１２１Ａに連通する隙間１２１Ｂが構成されている。即ち、本体１０９内外はこれら切欠１２１Ａと隙間１２１Ｂによって連通していた。
【０００６】
【発明が解決しようとする課題】
そのため、従来の温度計１０６では本体１０９に形成された両爪部１１８、１１８の周囲の切欠１２１Ａ及び隙間１２１Ｂを通して温度計本体１０９内に容易に水が侵入してしまう。これによって、電気回路基板１０７の配線パターン及び電気部品等が浸水してしまい、温度計が故障してしまう問題があった。
【０００７】
また、温度計１０６は本体１０９の内側四隅に設けられたネジ座１２２・・・に電気回路基板１０７を４本のネジで締め付け固定していたため、多数のネジを締め付けなければならず、組立作業性が悪く、コストアップとなってしまう問題もあった。
【０００８】
本発明は、係る従来技術の課題を解決するために成されたものであり、故障率を低減させた温度計を提供することを目的とする。
【０００９】
【課題を解決するための手段】
即ち、請求項１の発明の温度計は、電気回路基板と、この電気回路基板を収納する容器状の本体と、この本体の内側四隅に形成され、電気回路基板が固定されるネジ座と、本体の左右側面を切り欠くことにより形成された取付用の可撓性爪部とを備えたものであって、左右における上下一対のネジ座間に渡り、爪部の内側に間隔を存して形成された区画壁を備えたものである。
【００１０】
また、請求項２の発明の温度計は上記において、本体は少なくとも後面が開口しており、電気回路基板はこの開口より本体内に挿入されると共に、その状態で開口を閉塞する蓋を設け、この蓋は電気回路基板を後方より押圧するものである。
【００１１】
【発明の実施の形態】
次に、図面に基づき本発明の実施形態を詳述する。図１は本発明の温度計６を取り付けた実施例としてのオープンショーケース１の斜視図、図２は本発明の温度計６の正面図、図３は本発明の温度計６の側面図、図４は本発明の温度計６の組立手順を示す側面図、図５は本発明の温度計６の分解斜視図である。
【００１２】
温度計６は例えばスーパーマーケットなどの店舗に据え付けられる縦型の冷凍或いは冷蔵タイプのオープンショーケース１の前面に取り付けられている。このオープンショーケース１は、断面略コ字状の断熱壁２と、断熱壁２の両側に取り付けられた側板２Ａ、２Ａとから構成されており、断熱壁２の内側は貯蔵室２Ｂとされている。
【００１３】
そして、貯蔵室２Ｂ内には複数段の棚４・・・が架設され、貯蔵室２Ｂの外側には図示しないダクトが形成されている。このダクト内には図示しない冷却装置を構成する送風機と冷却器が設置されており、送風機が運転されると底部のダクト内の空気は、冷却器と熱交換した後、開口上縁部の図示しない吐出口から開口下縁部の図示しない吸込口に向けて吹き出される。
【００１４】
これによって、貯蔵室２Ｂの開口に冷気エアーカーテンが形成されると共に、この冷気エアーカーテンによって、開口から貯蔵室２Ｂ内への外気の侵入が阻止若しくは抑制される。そして、冷気エアーカーテンの一部は貯蔵室２Ｂ内に循環して貯蔵室２Ｂ内は冷却され、これによって棚４・・・上の図示しない販売商品を冷却しながら展示する。そして、前記温度計６はオープンショーケース１の前面上部のキャノピー５に形成された図示しない係合孔に取り付けられている。
【００１５】
この温度計６は容器状の本体９と、この本体９内に取り付けられた電気回路基板７と、蓋１９などから構成されている。これら本体９と蓋１９とは硬質合成樹脂で成形されており、本体９は上壁１２と、下壁１３と、左右側壁１５、１５と、表側（前面）に設けられた支持壁１０とから容器状に形成されている。この本体９は横長矩形状に形成され、支持壁１０裏側の各壁１２、１３、１５、１５のつくる内側四隅にはネジ座１７・・・がそれぞれ立設されている。
【００１６】
以上により、本体９は後面に開口９Ａを有した容器状とされていると共に、本体９四隅の一方の対角位置となるネジ座１７、１７（図２の左上と右下のネジ座１７、１７）にはネジ２２、２２を締め付けるためのネジ孔１７Ａ、１７Ａが形成されている。
【００１７】
また、支持壁１０の所定位置には窓孔１１が形成されており、この窓孔１１は支持壁１０を前後に貫通すると共に、窓孔１１は後述する電気回路基板７の電気部品側に設けられた温度表示器８が嵌合可能とされる。また、窓孔１１の側方には所定の間隔を存して可撓性のスイッチ用切欠１４が複数（この場合２箇所。図２では省略。）設けられている。
【００１８】
また、本体９の左右側面には可撓性爪部１８、１８が形成されており、この爪部１８、１８の周囲は切り欠かれて切欠２１Ａが形成され、爪部１８の開口９Ａ側が側壁１５に連続している。これにより、各爪部１８、１８は内側に傾倒可能となり、爪部１８、１８の支持壁１０側に形成された係合部１８Ａ、１８Ａが前記キャノピー５に設けられた係合孔に係合することにより、温度計６はオープンショーケース１に取り付けられるように構成されている。
【００１９】
また、両可撓性爪部１８、１８の内側には間隔を存してそれぞれ区画壁１６、１６が形成されている。各区画壁１６、１６は本体９の両側上下に設けられた一対のネジ座１７、１７間に渡って形成されると共に、両ネジ座１７、１７と同じ高さとされている。即ち、本体９の支持壁１０裏面には、上壁１２、下壁１３と、両側の区画壁１６、１６とによって囲繞され、後方に開放した隙間の無い空間が形成され、その両側外方に間隔を存して可撓性爪部１８、１８がそれぞれ形成される。
【００２０】
また、電気回路基板７は本体９内に収納されて四隅及び両側がネジ座１７・・・と区画壁１６、１６に密着する大きさを呈していると共に、この電気回路基板７には液晶或いは７セグメントのＬＥＤ等からなる温度表示器８が取り付けられている。そして、温度表示器８と所定の間隔を存して複数（この場合２個）の押しボタン式のスイッチ２３、２３が設けられると共に、図示しない集積回路等により所定の電子回路が構成されている。係る電気回路基板７には貯蔵室２Ｂ内の温度を検出する図示しないセンサーが接続され、その検出値を温度表示器８に表示可能とされている。
【００２１】
一方、蓋１９は本体９後面に形成された開口９Ａを閉塞可能に構成されており、本体９の上壁１２と下壁１３に係合される。そして、蓋１９の内面には所定形状の押圧部１９Ａ、１９Ａが設けられており、この押圧部１９Ａ、１９Ａは本体９の内側方向に突出して設けられている。また、両押圧部１９Ａ、１９Ａは蓋１９の対角位置に設けられると共に、対角位置のネジ座１７、１７（図２の左下と右上のネジ座１７、１７）に対応して設けられている。即ち、蓋１９に設けられた両押圧部１９Ａ、１９Ａはネジ孔１７Ａ、１７Ａが設けられていないネジ座１７、１７に対応して設けられている。
【００２２】
そして、電気回路基板７が対角するネジ座１７・・・にネジ２２、２２で締め付け固定された状態で、電気回路基板７は蓋１９に設けられた押圧部１９Ａ、１９Ａによって、残りのネジ座１７、１７に押圧され、保持固定されるように構成されている。尚、蓋１９には図示しない係合爪が設けられており、本体９の上壁１２、下壁１３の縁部に係合され、これにより蓋１９が本体９に取り付けられるように構成されている。
【００２３】
係る温度計６を組み立てる場合、先ず開口９Ａ側から電気回路基板７を本体９内に挿入し、支持壁１０に設けられた窓孔１１に温度表示器８を嵌合する（図５矢印）。次に、左上と右下のネジ座１７、１７のネジ孔１７Ａ、１７Ａにネジ２２、２２を締め付けて、後方から電気回路基板７を両ネジ座１７、１７に固定する。これにより、電気回路基板７は上壁１２と下壁１３の内側と両ネジ座１７、１７及び区画壁１６、１６の端面上に密接して取り付けられる。
【００２４】
そして、蓋１９が上壁１２と下壁１３に係合されて本体９裏側の開口９Ａが閉塞される。係る、蓋１９の押圧部１９Ａ、１９Ａで電気回路基板７は両ネジ座１７・・・に押圧され、これによって電気回路基板７の電気部品側（支持壁１０側）は、上壁１２、下壁１３とネジ座１７、１７間に渡って形成された両区画壁１６、１６とによって密閉される。また、本体９の表側には透明のシート２０が設けられており、このシート２０は図示しない接着剤によって支持壁１０表面に貼り付けられる。尚、シート２０には各スイッチ２３、２３名、温度表示器８名等が印刷されている。
【００２５】
このように、後面開口９Ａから電気回路基板７を本体９内に挿入して取り付けたの後、蓋１９によって開口９Ａを閉塞すと共に、電気回路基板７を蓋１９の対角位置に設けた押圧部１９Ａ、１９Ａで押圧しているので、電気回路基板７の四隅をネジ止めする必要が無くなり、組立作業を簡素化することが可能となる。これによって、電気回路基板７を蓋１９によって安定的に保持しつつ、組立作業性を大幅に向上させることができるようになる。
【００２６】
また、本体９の左右側面に設けられた可撓性爪部１８、１８の周囲の切欠２１から水が侵入した場合でも、爪部１８、１８の内側にネジ座１７、１７間に渡って区画壁１６、１６を形成しているので、この区画壁１６、１６で電気回路基板７の電気部品側への浸水を堰き止めることができるようになる。また、本体９内部へも水が侵入し難くなるので、一層電気回路基板７の故障率を低減させることができるようになる。
【００２７】
【発明の効果】
以上詳述した如く本発明によれば、電気回路基板と、この電気回路基板を収納する容器状の本体と、この本体の内側四隅に形成され、電気回路基板が固定されるネジ座と、本体の左右側面を切り欠くことにより形成された取付用の可撓性爪部とを備えた温度計において、左右における上下一対のネジ座間に渡り、爪部の内側に間隔を存して区画壁を形成したので、爪部の周囲から本体内に侵入しようとする水はこの区画壁によって堰き止められるかたちとなる。
【００２８】
これにより、爪部からの浸水を効果的に防止若しくは抑制することができるようになり、電気回路基板の故障率を低減させて、温度計の寿命を延長することが可能となるものである。
【００２９】
請求項２の発明によれば、上記に加えて本体の少なくとも後面を開口させ、電気回路基板をこの開口より本体内に挿入すると共に、その状態で開口を閉塞する蓋を設け、この蓋により電気回路基板を後方より押圧するよう構成したので、電気回路基板のネジ止め箇所を削減しても蓋によって安定的に保持されるようになり、組立作業性の改善とコストの削減を図ることができるようになるものである。
【図面の簡単な説明】
【図１】本発明の温度計を取り付けたオープンショーケースの斜視図である。
【図２】本発明の温度計の透視正面図である。
【図３】本発明の温度計の側面図である。
【図４】本発明の温度計の組立手順を示す側面図である。
【図５】本発明の温度計の分解斜視図である。
【図６】従来の温度計の透視正面図である。
【図７】従来の温度計の組立手順を示す側面図である。
【符号の説明】
１  オープンショーケース
５  キャノピー
６  温度計
７  電気回路基板
８  温度表示器
９  本体
９Ａ  開口
１０  支持壁
１１  窓孔
１２  上壁
１３  下壁
１５  側壁
１６  区画壁
１７  ネジ座
１８  爪部
１９  蓋
１９Ａ  押圧部
２１  切欠
【図１】
0003630969.tif 000002
【図２】
0003630969.tif 000003
【図３】
0003630969.tif 000004
【図４】
0003630969.tif 000005
【図５】
0003630969.tif 000006
【図６】
0003630969.tif 000007
【図７】
0003630969.tif 000008